(57)【要約】【課題】ＣＴ装置などの非破壊検査装置で取得した濃淡画像を詳細部分に渡って容易に比較できるようにする。【解決手段】まず、断層撮影装置１でタイヤの断面画像を取得し（Ｓ１０１）、表示装置にそのタイヤの断面画像を表示する（Ｓ１０２）。次に、そのタイヤの断面画像内の対象領域を抽出し（Ｓ１０３）、その対象領域に着色し（Ｓ１０４）、対象領域を着色したタイヤの断面画像と、補助記憶装置６に記憶されている比較画像とを重ね合わせる（Ｓ１０５）。必要に応じて、着色したタイヤの断面画像と比較画像との混合比を変更したり（Ｓ１０６）、重ね合わせ位置の調節をしたり（Ｓ１０７）、着色したタイヤの断面画像と比較画像とのタイヤの形状の差異部分の長さを算出したりする（Ｓ１０８）。【選択図】  図６
2009002841.tif 000002
【特許請求の範囲】
【請求項１】
非破壊検査装置にて取得した物品の断面画像を比較する方法であって、
前記断面画像から前記物品の比較対象領域を抽出する工程と、前記比較対象領域の階調情報に基づき当該領域を各階調毎に異なる色に着色する工程と、前記着色した断面画像を参照画像に重ね合わせて表示する工程と、を有することを特徴とする断面画像の比較方法。
【請求項２】
非破壊検査装置にて取得した物品の断面画像を比較する方法であって、
前記断面画像から比較対象領域を抽出する工程と、前記比較対象領域から前記物品の構成要素を抽出する工程と、前記構成要素毎に異なる色で着色する工程と、前記着色した断面画像を参照画像に重ね合わせて表示する工程と、を有することを特徴とする断面画像の比較方法。
【請求項３】
請求項１または２に記載された断面画像の比較方法において、
前記着色した断面画像と前記参照画像のそれぞれの色の混合比を設定する工程を有することを特徴とする断面画像の比較方法。
【請求項４】
請求項１ないし３に記載された断面画像の比較方法において、
前記着色した断面画像及び前記参照画像の一方又は両方を回転させる工程又は直線移動させる工程を有することを特徴とする断面画像の比較方法。
【請求項５】
請求項１ないし４に記載された断面画像の比較方法において、
前記着色した断面画像及び／又は前記参照画像の二点を指定する工程と、その二点間の距離を算出する工程を有することを特徴とする断面画像の比較方法。
【請求項６】
請求項１ないし５に記載された断面画像の比較方法において、
前記物品はタイヤであることを特徴とする断面画像の比較方法。
【発明の詳細な説明】
【技術分野】
【０００１】
本発明は、ＣＴ装置やＭＲＩ装置などの非破壊検査装置で取得した物品の断面画像を重ね合わせて比較する方法に関し、特に、画像の細部を比較できる物品の断面画像の比較方法に関する。
【背景技術】
【０００２】
ラジアルタイヤは基本的にはコードをラジアル方向に配列したプライから形成されるカーカスと、その周囲に非伸張性のコードをタイヤの赤道面に対して傾斜配列したベルト層と、このベルト層とほぼ同幅のトレッドによって構成される。
このラジアルタイヤの構造において、内圧を充填したときに作用するタイヤの径方向の張力はカーカスが、周方向の張力はベルト層が実質的に負担するため、カーカス及びベルト層が不均一に形成されているときは、その影響が顕著にタイヤ性能に現れる。
【０００３】
タイヤの外観上異常が見られなくても、例えばベルト層のコードの配列角度にばらつきがあったり、コードの打ち込み密度にばらつきがあるときは、ＲＦＶ（Radial Force Variation：タイヤ半径方向の変動）やＬＦＶ（Lateral Force Variation：タイヤ幅方向の変動）が増大し、縦及び横方向の振動の原因となる。
【０００４】
そのため、製造されたタイヤに対してタイヤ内部のベルト層のコードの配置状況や、タイヤの輪切り形状等を確認するために、ＣＴ（Computed Tomography）装置やＭＲＩ（Magnetic Resonance Imaging）装置などによる非破壊検査が行われている（例えば、特許文献１参照）。
従来、この非破壊検査では、ＣＴ装置などで取得したグレースケールの多値（濃淡）画像を目視によって観察することでタイヤのコードの配置状況や輪切り形状を確認しており、例えば、二つのタイヤの同断面画像を比較して差異を確認することで、タイヤの不良を検出することが行われている。
【０００５】
しかしながら、上記従来の比較方法は濃淡画像を一枚ずつ並べて二つのタイヤの形状を比較するため、全体的な差異は確認することができるが、細部の差異、例えば、タイヤ外形の微少な差異などは分かり難く、容易に検出することができない。
エックス線写真などを透明又は半透明のフィルム上に現像したときは、写真背面に一様な照度を持つ装置（例えばライトボックス）を配置して、二枚の写真を重ね合わせて各々のタイヤの形状を比較することもできるが、エックス線写真は一様にグレースケールの濃淡の画像であり、濃度の濃い部分は重ね合わせても差異が分かり難いため、細部の差異は依然として認識し難いという問題がある。
また、濃淡画像ではタイヤの構成部品が見え難く、濃淡画像の写真を重ね合わせても構成部品の形状の差異が認識し難いという問題もある。
【特許文献１】特開２００６−７６４１４号公報
【発明の開示】
【発明が解決しようとする課題】
【０００６】
本発明は上記従来の問題を解決するためになされたものであって、その目的は、ＣＴ装置などの非破壊検査装置で取得した物品の断面画像の詳細部分を容易に比較できるようにすることである。また、物品の断面画像の構成部品を見やすくし、構成部品の形状の差異を容易に比較できるようにすることである。
【課題を解決するための手段】
【０００７】
請求項１の発明は、非破壊検査装置にて取得した物品の断面画像を比較する方法であって、前記断面画像から前記物品の比較対象領域を抽出する工程と、前記比較対象領域の階調情報に基づき当該領域を各階調毎に異なる色に着色する工程と、前記着色した断面画像を参照画像に重ね合わせて表示する工程と、を有することを特徴とする。
請求項２の発明は、非破壊検査装置にて取得した物品の断面画像を比較する方法であって、前記断面画像から比較対象領域を抽出する工程と、前記比較対象領域から前記物品の構成要素を抽出する工程と、前記構成要素毎に異なる色で着色する工程と、前記着色した断面画像を参照画像に重ね合わせて表示する工程と、を有することを特徴とする。
請求項３の発明は、請求項１または２に記載された断面画像の比較方法において、前記着色した断面画像と前記参照画像のそれぞれの色の混合比を設定する工程を有することを特徴とする。
請求項４の発明は、請求項１ないし３に記載された断面画像の比較方法において、前記着色した断面画像及び前記参照画像の一方又は両方を回転させる工程又は直線移動させる工程を有することを特徴とする。
請求項５の発明は、請求項１ないし４に記載された断面画像の比較方法において、前記着色した断面画像及び／又は前記参照画像の二点を指定する工程と、その二点間の距離を算出する工程を有することを特徴とする。
請求項６の発明は、請求項１ないし５に記載された断面画像の比較方法において、前記物品はタイヤであることを特徴とする。
【発明の効果】
【０００８】
本発明によれば、ＣＴ装置などの非破壊検査装置で取得した物品の断面画像の詳細部分を容易に比較することができ、物品の断面画像の僅かな差異を容易に検出することができる。また、物品の断面画像の構成部品を見やすくでき、構成部品の形状の差異を容易に比較することができる。
【発明を実施するための最良の形態】
【０００９】
以下、本発明の実施形態に係る物品の断面画像の比較方法について、添付図面を参照しながら説明する。
図１は本実施形態に係る物品の断面画像の比較方法を実行する非破壊検査装置であるＣＴ装置の概略構成を示すブロック図である。
ＣＴ装置１００は、断層撮影装置１、制御部２、画像抽出・処理部５、補助記憶装置６、表示装置７、入力装置８から構成される。
【００１０】
断層撮影装置１は、入力装置８からの入力信号によって、タイヤにエックス線を照射し、タイヤのエックス線透過率データを取得し、エックス線透過率データに補正などの前処理をして、前処理をしたエックス線透過率データを画像データに変換処理し、タイヤの断面画像データを取得する。取得したタイヤの断面画像データは、制御部２からの命令で、画像抽出・処理部５へ送信される。
制御部２は、ＣＰＵやメモリなどから構成され、ＣＴ装置１００全体の制御を行い、ＣＴ装置１００各部への命令の送信等の処理を行う。例えば、表示装置７に信号を送り、後述する画像の重ね合わせ処理、画像の重ね合わせ位置の調整処理や、混合比の変更処理、画像内の２点間の距離算出処理などを行う。
【００１１】
画像抽出・処理部５は断層撮影装置１から受信したタイヤの画像データに対して、制御部２の命令により対象領域の抽出処理及び着色処理などを行う。
補助記憶装置６は、画像抽出・処理部５にて画像処理した画像データを記憶し、表示装置７は、画像抽出・処理部５で画像処理した画像データなどを表示する。
入力装置８は、ユーザが指示を入力するための入力手段であり、ユーザによって装置各部への指示の入力が行われる。
【００１２】
以下に、本実施形態に係る物品の断面画像の比較方法の手順を説明する。
まず、画像抽出・処理部５は断層撮影装置１から入力されたタイヤの断面画像の（比較）対象領域を抽出して、タイヤの比較断面画像を形成する。
図２はＣＴ装置１００で取得したタイヤの断面画像の例を示しており、図２Ａは対象領域（ここでは、タイヤの断面全体）の抽出前を示し、図２Ｂは対象領域の抽出後を示している。
【００１３】
ＣＴスキャン装置で撮影した物品の断面画像は一般的に、エックス線が透過した部分ほど黒くなり、エックス線が吸収されて減衰した部分が白くなる濃淡画像になる。図２Ａに示すように、非対象領域（対象領域以外の領域）はエックス線を透過し、黒く表示されており、対象領域であるタイヤの断面全体はエックス線を吸収して、非対象領域に比べて白く表示されている。特に、ビードワイヤー及びカーカス、ベルト層の部分がより白く表示されている。
タイヤのゴム部分は位置によって使用されているゴムの種類が異なったりするため、例えばトレッド部のゴムとサイドウォール部のゴムのエックス線の透過率は異なり、一様ではなく、僅かな濃淡の差が見られる。
【００１４】
図２Ｂでは、タイヤの断面画像である対象領域が抽出されており、これにより、タイヤの断面が明瞭に認識できる。
この対象領域を抽出する操作は、手動で対象領域を指定してもよいし、公知の方法で、対象領域を自動的に指定してもよい。
【００１５】
次に、図２Ｂに示した対象領域を抽出した濃淡画像に対して着色処理を行う。
図２Ｂに示した濃淡画像の対象領域の細部の差異を比較する場合において、この対象領域がグレースケール化されているときは、例えば、画像抽出・処理部５が対象領域から階調情報を抽出し、対象領域の各階調毎に、例えば、カラースペクトルに従って異なる色で着色する。
この対象領域が２５６階調にグレースケール化されているときは、２５６段階に分割された青から赤へ直線的に変化するカラースペクトルに応じて、各階調毎に異なる色で着色する。即ち、例えば、濃淡画像の白い部分は青色に近い色に、黒い部分は赤色に近い色に着色される。
【００１６】
また、図２Ｂに示した濃淡画像の対象領域の、タイヤの構成部品の形状の差異を比較する場合には、例えば、画像抽出・処理部５がこの対象領域からタイヤの構成部品を抽出し、この構成部品をそれぞれ異なる色で着色する。
即ち、対象領域内の指定した部分、例えばビード部、トレッド部、カーカスなどの部位に各々の色を指定して、各部分毎に一様に着色する。
この着色処理によって、対象領域に着色することができ、視覚的に対象領域の各部位を認識し易くすることができる。
【００１７】
次に、着色したタイヤの断面画像を比較画像と重ね合わせる処理について説明する。
図３は図２Ｂに示したタイヤの断面画像と比較画像との重ね合わせ処理を説明するための図である。
ここでは、図２Ｂに示したタイヤの断面画像を画像aとし、比較画像を画像ｂ（参照画像）とする。画像ｂには図１に示した補助記憶装置６に保存されている、例えばタイヤ製造モデルの断面画像や、別の工場で製造したタイヤの断面画像などを用いる。また、画像ａの左右反転画像を用いてもよい。
なお、画像ｂについても画像ａと同様の方法で着色し、画像ａの色は画像ｂの色と区別が付きやすい色（例えば反対色）にしておく。
【００１８】
画像ｃは画像ａと画像ｂとを重ね合わせたものであり、ここでは画像ｃの色は画像ａの色と画像ｂの色との混合色になるよう設定されている。例えば画像ａのビードワイヤーを青色に、画像ｂのビードワイヤーを赤色に着色しているときは、画像ａのビードワイヤーと画像ｂのビードワイヤーが重なり合っている部分は紫色になる。
【００１９】
図４は重ね合わせ処理によって生じる差異の例を示しており、画像ｃのビード部の概略拡大図である。
図示のように、ビード部１０にはタイヤをリムに固定するためのビードワイヤー１１が配置され、そのタイヤ半径方向外側（図中上側）にはビード部１０の剛性を高めるためのビードフィラー１２が配置されている。また、カーカス１３がビード部１０内のビードワイヤー１１の周りにタイヤの内側から外側に向けて巻き上げるように配置されている。
ここで、画像ａのカーカス１３ａは画像ｂのカーカス１３ｂに対して、先端がタイヤ幅方向外側に配置されており、形状の差異が生じている。
この場合、カーカス１３ａとカーカス１３ｂが重なっている部分では、カーカス１３ａの色とカーカス１３ｂの色との混合色になっているが、カーカス１３ａとカーカス１３ｂが重なっていない部分、即ちカーカス１３ａの先端部分は色が異なり、明確に形状の差異を認識できる。
【００２０】
特に、画像ｂがタイヤ製造モデルの断面画像であるときは、基本となるモデルとの形状の差異が認識できる。また、画像ｂが別の工場で製造したタイヤの断面画像であるときは、工場の違いに起因する形状の差異が認識でき、画像ｂが画像ａの左右反転画像であるときは、画像ａのタイヤが左右対称か否かを認識することができる。
【００２１】
本実施形態では、前述した画像ａと画像ｂの重ね合わせの際に、それぞれの画像の色の混合比を変更することができる。即ち、デフォルトでは画像ａと画像ｂとの色の混合比は１：１で混合されるが、例えば２：１や１：２で混合されるように混合比を変更できる。
仮に、上述したように画像ａのビードワイヤーを青色に、画像ｂのビードワイヤーを赤色に着色しているときは、色の混合比が１：１の場合、画像ｃのビードワイヤーは紫色になるが、色の混合比を１：２にした場合、画像ｃのビードワイヤーは赤紫色になる。
画像の色の混合比を変更することで、画像ｃの色を調節することができるため、例えば画像ａと画像ｂとの差異、即ち、重ね合っている部分と重ね合っていない部分の差異が分かり難いとき、ユーザが差異を認識し易いように調節することができる。
【００２２】
また、前述した画像ａと画像ｂとの重ね合わせ位置を適宜調整することもできる。
図５は画像ａと画像ｂとの重ね合わせ位置の調整処理を説明するための図である。
図５Ｂに示すタイヤの断面画像は画像ａと画像ｂとが同位置・同角度で重ね合わされている。図５Ａに示すタイヤの断面画像は、画像ａが画像ｂに対して回転して重ね合わされている。同様に図５Ｃに示すタイヤの断面画像は、画像ａが画像ｂに対して図中上方向に移動して重ね合わされている。
【００２３】
このように、タイヤの断面画像の回転及び上下左右の移動を行うことができるため、画像ａと画像ｂの比較したい部分を一致させて、その部分の形状の差異を比較することができる。例えば、画像ａと画像ｂとをビードワイヤーの位置を基準にして重ね合わせたり、各タイヤ断面の上端部を基準にして重ね合わせたりすることができる。
【００２４】
また、画像ｃ上において、指定した２点間の距離を測定することができる。画像ａ及び画像ｂは縮尺が定められており、画像ａと画像ｂとを重ね合わせた画像ｃも同じ縮尺で表示されている。従って、画像ｃにおいて２点を指定すれば、その縮尺に基づいて、２点間の実際の距離を算出することができる。
この機能を利用することで、画像ａのタイヤと画像ｂのタイヤとの形状にどれだけの差異があるかを調べることもできる。例えば、図４中のＡ点とＢ点を指定して、その二点間の距離を測定すれば、カーカス１３ｂの先端からカーカス１３ａの先端までの距離（長さ）を算出することができ、カーカス１３ａとカーカス１３ｂの形状にどれだけ差異があるかを数値で認識することができる。
なお、この距離測定処理は制御部２にて実行される。
【００２５】
図６は、以上で説明した断面画像の比較方法の処理を示すフロー図である。
まず、図１に示した断層撮影装置１でタイヤの断面画像を取得し（Ｓ１０１）、表示装置７にそのタイヤの断面画像を表示する（Ｓ１０２）。
【００２６】
次に、そのタイヤの断面画像内の対象領域を抽出し（Ｓ１０３）、その対象領域に着色し（Ｓ１０４）、対象領域を着色したタイヤの断面画像と、補助記憶装置６に記憶されている比較画像とを重ね合わせる（Ｓ１０５）。
必要に応じて、着色したタイヤの断面画像と比較画像との色の混合比を変更したり（Ｓ１０６）、重ね合わせ位置の調節をしたり（Ｓ１０７）、着色したタイヤの断面画像と比較画像とのタイヤの形状の差異部分の長さを算出したりする（Ｓ１０８）。
【００２７】
以上の処理によって、ＣＴ装置などで撮影したタイヤの断面写真の詳細部分の比較を容易に行うことができ、例えばタイヤの製造工場において製造したタイヤの不良を検出したり、タイヤの研究開発において微少な差異の解析を行ったりすることができる。
なお、以上の説明では非破壊検査装置はＣＴ装置であるとして説明したが、これに限らずＭＲＩ装置などでもよい。
また、本実施形態ではタイヤの断面画像の比較方法を説明したが、本発明はタイヤに限らず、ＣＴ装置やＭＲＩ装置などで断面画像が撮影されている対象物であれば、全てに適用可能である。
【図面の簡単な説明】
【００２８】
【図１】本実施形態に係る物品の断面画像の比較方法を実行するＣＴ装置などの非破壊検査装置の構成を示すブロック図である。
【図２】非破壊検査装置で取得したタイヤの断面画像の例を示す図である。
【図３】タイヤの断面画像と比較画像との重ね合わせ処理を説明するための図である。
【図４】画像ｃのビード部の概略拡大図である。
【図５】画像ａと画像ｂとの重ね合わせ位置の調整処理を説明するための図である。
【図６】断面画像の比較方法の処理を示すフロー図である。
【符号の説明】
【００２９】
１・・・断層撮影装置、２・・・制御部、５・・・画像抽出・処理部、６・・・補助記憶装置、７・・・表示装置、８・・・入力装置、１００・・・ＣＴ装置、Ａ，Ｂ・・・点。
【図１】
2009002841.tif 000003
【図２】
2009002841.tif 000004
【図３】
2009002841.tif 000005
【図４】
2009002841.tif 000006
【図５】
2009002841.tif 000007
【図６】
2009002841.tif 000008